【手続補正書】
【提出日】令和1年12月19日(2019.12.19)
【手続補正１】
【補正対象書類名】明細書
【補正対象項目名】０００３
【補正方法】変更
【補正の内容】
【０００３】
従来のＬＴＥシステムでは、端末はずっと下りリンクシステム帯域幅全体においてＰＤＣＣＨをブラインドテストするため、端末の電力損失が大きくなってしまう。特に、第５世代移動通信技術（５−Ｇｅｎｅｒａｔｉｏｎ、５Ｇ）システム及び後続のシステム帯域幅が大きい移動通信技術システムでは、キャリアの帯域幅が非常に広く、たとえば２００ＭＨｚに達する可能性がある。端末が依然として、ＬＴＥシステム、すなわち第４世代移動通信技術（４−Ｇｅｎｅｒａｔｉｏｎ、４Ｇ）システムと同様に、帯域幅全体においてＰＤＣＣＨを受信する場合、端末の電力損失が非常に高くなってしまう。マシンタイプコミュニケーション（Ｍａｃｈｉｎｅ  Ｔｙｐｅ  Ｃｏｍｍｕｎｉｃａｔｉｏｎｓ、ＭＴＣ）をサポートする端末に対しては、１．４ＭＨｚすなわち６つのＰＲＢ帯域幅において下りリンク信号を復調することができる。このタイプの端末は、下りリンク帯域幅が小さくなるため、端末の電力損失が節約される。しかし、このタイプの端末が狭い帯域幅、例えば６つのＰＲＢにおいてしか動作できないので、端末の機能が大きく制限される。狭い帯域幅においては、システム帯域幅にスケジューリングするデータを受信することができない。いくつかのプレスケジューリングサービス、例えばボルテ（ＶｏＬＴＥ）サービスは、セミパーシステントスケジューリング（Ｓｅｍｉ−Ｐｅｒｓｉｓｔｅｎｔ  Ｓｃｈｅｄｕｌｉｎｇ、ＳＰＳ）方式でシステム帯域幅において伝送される。このタイプのプレスケジューリングサービスに対しては、基地局は初期スケジューリングにはＰＤＣＣＨにより端末の現在のスケジューリング情報を指示し、端末はセミパーシステントスケジューリングであると認識すると、現在のスケジューリング情報を記憶し、固定周期おきに同じ時間周波数リソース位置で該サービスデータの送信又は受信を行う。端末が狭い帯域幅において信号を受信すると、システム性能が大きく制限されるため、プレスケジューリングサービスの伝送を完了できない可能性がある。
【手続補正２】
【補正対象書類名】明細書
【補正対象項目名】００５９
【補正方法】変更
【補正の内容】
【００５９】
端末の電力損失を低減させるために、本発明の実施例においては端末がシステム帯域幅より小さい狭い帯域幅において動作するように設定することができ、プレスケジューリングサービスの正常伝送を確保するために、本発明の実施例は、さらに、プレスケジューリングサービスを伝送する必要がある場合に、端末がシステム帯域幅又は前記プレスケジューリングサービスの占有帯域幅へ切り替えてプレスケジューリングサービスを受信するようにスケジューリングすることができる。
【手続補正３】
【補正対象書類名】明細書
【補正対象項目名】００６５
【補正方法】変更
【補正の内容】
【００６５】
前記狭い帯域幅受信モードに入る時間は前記狭い帯域幅受信モードに入る開始時間を含む以外、又は前記狭い帯域幅受信モードに入る終止時間を含んでもよく、端末は指定の開始時間に狭い帯域幅受信モードに入り、指定の終止時間にシステム帯域幅へ切り替えて情報を受信するようにしてもよい。
【手続補正４】
【補正対象書類名】特許請求の範囲
【補正対象項目名】全文
【補正方法】変更
【補正の内容】
【特許請求の範囲】
【請求項１】
サービス伝送方法であって、
基地局が端末へ狭い帯域幅受信モードの切り替えメッセージを送信し、前記端末が幅がシステム帯域幅の幅より小さい指定の狭い帯域幅へ切り替えて情報を受信するように指示することと、
プレスケジューリングサービスを伝送する必要がある場合、前記基地局が前記端末がシステム帯域幅又は前記プレスケジューリングサービスの占有帯域幅へ切り替えて、前記プレスケジューリングサービスを受信するようにスケジューリングすることと、を含むことを特徴とするサービス伝送方法。
【請求項２】
前記方法は、
前記狭い帯域幅に位置する物理下りリンク制御チャネルにおいて前記端末に対する下りリンク制御情報を送信することをさらに含み、
前記下りリンク制御情報は前記端末に対応する端末の固有探索空間に位置し、且つ前記端末に対応する制御チャネルユニットのアグリゲーションレベルを用いることを特徴とする請求項１に記載の方法。
【請求項３】
前記基地局が端末へ狭い帯域幅受信モードの切り替えメッセージを送信し、前記端末が指定の狭い帯域幅へ切り替えて情報を受信するように指示する前、前記方法は、さらに、
前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を前記端末へ送信することを含むことを特徴とする請求項１に記載の方法。
【請求項４】
前記プレスケジューリングサービスを伝送する必要がある場合、前記基地局が前記端末がシステム帯域幅又は前記プレスケジューリングサービスの占有帯域幅へ切り替えて、前記プレスケジューリングサービスを受信するようにスケジューリングすることは、
基地局が前記端末の前記狭い帯域幅受信モードでの期間情報及び前記端末の前記プレスケジューリングサービス受信用の期間情報を設定して前記端末へ送信することと、
前記狭い帯域幅受信モードの期間情報及び前記端末の前記プレスケジューリングサービス受信用の期間情報に基づき、プレスケジューリングサービスを伝送する必要がある場合、前記端末がシステム帯域幅又は前記プレスケジューリングサービスの占有帯域幅へ切り替えて前記プレスケジューリングサービスを受信するようにスケジューリングすることと、を含むことを特徴とする請求項３に記載の方法。
【請求項５】
前記プレスケジューリングサービスの占有帯域幅がシステム帯域幅であると、プレスケジューリングサービスを伝送する必要がある場合、前記基地局は前記端末がシステム帯域幅へ切り替えて、前記プレスケジューリングサービスを受信するようにスケジューリングし、
前記プレスケジューリングサービスの占有帯域幅がシステム帯域幅の一部であると、プレスケジューリングサービスを伝送する必要がある場合、前記基地局は前記端末が前記プレスケジューリングサービスの占有帯域幅へ切り替えて、前記プレスケジューリングサービスを受信するようにスケジューリングし、
前記プレスケジューリングサービスの占有帯域幅が前記狭い帯域幅内に位置すると、プレスケジューリングサービスを伝送する必要がある場合、前記基地局は前記狭い帯域幅の物理下りリンク制御チャネルにおいて前記端末が前記プレスケジューリングサービスの占有帯域幅へ切り替えて、前記プレスケジューリングサービスを受信するようにスケジューリングし、前記狭い帯域幅の物理下りリンク制御チャネルの下りリンク制御情報において、前記プレスケジューリングサービスの変調符号化方式及び前記プレスケジューリングサービスの占有する時間周波数ドメインリソースを指示することを特徴とする請求項１−４のいずれか１項に記載の方法。
【請求項６】
サービス伝送方法であって、
端末が基地局により送信された狭い帯域幅受信モードの切り替えメッセージを受信し、幅がシステム帯域幅の幅より小さい指定の狭い帯域幅へ切り替えて情報を受信することと、
プレスケジューリングサービスを伝送する必要がある場合、前記端末が前記基地局のスケジューリングに応じて、システム帯域幅又は前記プレスケジューリングサービスの占有帯域幅へ切り替えて、前記プレスケジューリングサービスを受信することと、を含むことを特徴とするサービス伝送方法。
【請求項７】
前記狭い帯域幅に位置する物理下りリンク制御チャネルにおける前記端末に対する下りリンク制御情報を受信することをさらに含み、
前記下りリンク制御情報は前記端末に対応する端末の固有探索空間に位置し、且つ前記端末に対応する制御チャネルユニットのアグリゲーションレベルを用いることを特徴とする請求項６に記載の方法。
【請求項８】
前記端末が基地局により送信された狭い帯域幅受信モードの切り替えメッセージを受信し、指定の狭い帯域幅へ切り替えて情報を受信する前に、
前記基地局により送信された、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を受信することをさらに含むことを特徴とする請求項６に記載の方法。
【請求項９】
前記プレスケジューリングサービスを伝送する必要がある場合、前記端末が前記基地局のスケジューリングに応じて、システム帯域幅又は前記プレスケジューリングサービスの占有帯域幅へ切り替えて前記プレスケジューリングサービスを受信することは、
前記基地局により送信された前記端末の前記狭い帯域幅受信モードでの期間情報及び前記端末の前記プレスケジューリングサービス受信用の期間情報を受信することと、
前記狭い帯域幅受信モードの期間情報及び前記端末の前記プレスケジューリングサービス受信用の期間情報に基づき、プレスケジューリングサービスを伝送する必要がある場合、システム帯域幅又は前記プレスケジューリングサービスの占有帯域幅へ切り替えて前記プレスケジューリングサービスを受信することと、を含むことを特徴とする請求項８に記載の方法。
【請求項１０】
前記プレスケジューリングサービスの占有帯域幅がシステム帯域幅であると、プレスケジューリングサービスを伝送する必要がある場合、前記端末はシステム帯域幅へ切り替えて前記プレスケジューリングサービスを受信し、
前記プレスケジューリングサービスの占有帯域幅がシステム帯域幅の一部であると、プレスケジューリングサービスを伝送する必要がある場合、前記端末は前記プレスケジューリングサービスの占有帯域幅へ切り替えて前記プレスケジューリングサービスを受信し、
前記プレスケジューリングサービスの占有帯域幅が前記狭い帯域幅内に位置すると、プレスケジューリングサービスを伝送する必要がある場合、前記端末は前記プレスケジューリングサービスの占有帯域幅へ切り替えて前記プレスケジューリングサービスを受信し、前記狭い帯域幅の物理下りリンク制御チャネルの下りリンク制御情報において、前記基地局により送信された前記プレスケジューリングサービスの変調符号化方式及び前記プレスケジューリングサービスの占有する時間周波数ドメインリソースを受信することを特徴とする請求項６−９のいずれか１項に記載の方法。
【請求項１１】
端末へ狭い帯域幅受信モードの切り替えメッセージを送信し、前記端末が幅がシステム帯域幅の幅より小さい指定の狭い帯域幅へ切り替えて情報を受信するように指示するための送信ユニットと、
プレスケジューリングサービスを伝送する必要がある場合、前記端末がシステム帯域幅又は前記プレスケジューリングサービスの占有帯域幅へ切り替えて、前記プレスケジューリングサービスを受信するようにスケジューリングするためのスケジューリングユニットとを備えることを特徴とする基地局。
【請求項１２】
前記送信ユニットはさらに前記狭い帯域幅に位置する物理下りリンク制御チャネルにおいて前記端末に対する下りリンク制御情報を送信することに用いられ、
前記下りリンク制御情報は前記端末に対応する端末の固有探索空間に位置し、且つ前記端末に対応する制御チャネルユニットのアグリゲーションレベルを用いることを特徴とする請求項１１に記載の基地局。
【請求項１３】
前記送信ユニットは、さらに、前記端末へ狭い帯域幅受信モードの切り替えメッセージを送信し、前記端末が指定の狭い帯域幅へ切り替えて情報を受信するように指示する前に、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を前記端末へ送信することに用いられることを特徴とする請求項１１に記載の基地局。
【請求項１４】
前記スケジューリングユニットは、具体的には、
前記端末の前記狭い帯域幅受信モードでの期間情報及び前記端末の前記プレスケジューリングサービス受信用の期間情報を設定して前記端末へ送信し、
前記狭い帯域幅受信モードの期間情報及び前記端末の前記プレスケジューリングサービス受信用の期間情報に基づき、プレスケジューリングサービスを伝送する必要がある場合、前記端末がシステム帯域幅又は前記プレスケジューリングサービスの占有帯域幅へ切り替えて前記プレスケジューリングサービスを受信するようにスケジューリングすることに用いられることを特徴とする請求項１３に記載の基地局。
【請求項１５】
前記プレスケジューリングサービスの占有帯域幅がシステム帯域幅であると、プレスケジューリングサービスを伝送する必要がある場合、前記スケジューリングユニットは、具体的には、前記端末がシステム帯域幅へ切り替えて前記プレスケジューリングサービスを受信するようにスケジューリングすることに用いられ、
前記プレスケジューリングサービスの占有帯域幅がシステム帯域幅の一部であると、プレスケジューリングサービスを伝送する必要がある場合、前記スケジューリングユニットは、具体的には、前記端末が前記プレスケジューリングサービスの占有帯域幅へ切り替えて前記プレスケジューリングサービスを受信するようにスケジューリングすることに用いられ、
前記プレスケジューリングサービスの占有帯域幅が前記狭い帯域幅内に位置すると、プレスケジューリングサービスを伝送する必要がある場合、前記スケジューリングユニットは、具体的には、前記狭い帯域幅の物理下りリンク制御チャネルにおいて前記端末が前記プレスケジューリングサービスの占有帯域幅へ切り替えて、前記プレスケジューリングサービスを受信するようにスケジューリングし、前記狭い帯域幅の物理下りリンク制御チャネルの下りリンク制御情報において、前記プレスケジューリングサービスの変調符号化方式及び前記プレスケジューリングサービスの占有する時間周波数ドメインリソースを指示することに用いられることを特徴とする請求項１１−１４のいずれか１項に記載の基地局。
【請求項１６】
端末であって、
基地局により送信された狭い帯域幅受信モードの切り替えメッセージを受信するための受信ユニットと、
前記切り替えメッセージに基づいて幅がシステム帯域幅の幅より小さい指定の狭い帯域幅へ切り替えて情報を受信するための切り替えユニットとを備え、
前記切り替えユニットは、さらに、プレスケジューリングサービスを伝送する必要がある場合、前記端末が前記基地局のスケジューリングに応じて、システム帯域幅又は前記プレスケジューリングサービスの占有帯域幅へ切り替えて、前記プレスケジューリングサービスを受信することに用いられることを特徴とする端末。
【請求項１７】
前記受信ユニットは、さらに、前記狭い帯域幅に位置する物理下りリンク制御チャネルにおける前記端末に対する下りリンク制御情報を受信し、
前記下りリンク制御情報は前記端末に対応する端末の固有探索空間に位置し、且つ前記端末に対応する制御チャネルユニットのアグリゲーションレベルを用いることに用いられることを特徴とする請求項１６に記載の端末。
【請求項１８】
前記受信ユニットは、さらに、基地局により送信された狭い帯域幅受信モードの切り替えメッセージを受信する前、前記基地局により送信された、前記プレスケジューリングサービスのプロセス識別子情報、前記プレスケジューリングサービスの周期情報及び前記基地局が前記プレスケジューリングサービスへ割り当てたリソース情報を含む前記プレスケジューリングサービスの相関情報を受信することに用いられることを特徴とする請求項１６に記載の端末。
【請求項１９】
前記受信ユニットは、具体的には、
前記基地局により送信された前記端末の前記狭い帯域幅受信モードでの期間情報及び前記端末の前記プレスケジューリングサービス受信用の期間情報を受信することに用いられ、
前記切り替えユニットは、具体的には、
前記狭い帯域幅受信モードの期間情報及び前記端末の前記プレスケジューリングサービス受信用の期間情報に基づき、プレスケジューリングサービスを伝送する必要がある場合、システム帯域幅又は前記プレスケジューリングサービスの占有帯域幅へ切り替えて前記プレスケジューリングサービスを受信することに用いられることを特徴とする請求項１８に記載の端末。
【請求項２０】
前記プレスケジューリングサービスの占有帯域幅がシステム帯域幅であると、プレスケジューリングサービスを伝送する必要がある場合、前記切り替えユニットは、具体的には、システム帯域幅へ切り替えて前記プレスケジューリングサービスを受信することに用いられ、
前記プレスケジューリングサービスの占有帯域幅がシステム帯域幅の一部であると、プレスケジューリングサービスを伝送する必要がある場合、前記切り替えユニットは、具体的には、前記プレスケジューリングサービスの占有帯域幅へ切り替えて前記プレスケジューリングサービスを受信することに用いられ、
前記プレスケジューリングサービスの占有帯域幅が前記狭い帯域幅内に位置すると、プレスケジューリングサービスを伝送する必要がある場合、前記切り替えユニットは、具体的には、前記プレスケジューリングサービスの占有帯域幅へ切り替えて前記プレスケジューリングサービスを受信することに用いられ、前記受信ユニットは、さらに、前記狭い帯域幅の物理下りリンク制御チャネルの下りリンク制御情報において、前記基地局により送信された前記プレスケジューリングサービスの変調符号化方式及び前記プレスケジューリングサービスの占有する時間周波数ドメインリソースを受信することに用いられることを特徴とする請求項１６−１９のいずれか１項に記載の端末。